(57)【要約】【課題】  汚水吸水機や床面洗浄機等の運転時においては安定した量の消泡剤を供給することができ、また、運転停止時には消泡剤の供給が確実に停止して、消泡剤が外部に流出しないように工夫した汚水吸水システムに於ける消泡剤供給装置を提供する。【解決手段】  汚水吸引用のスキージ９又は汚水回収ホース８に対する消泡剤Ｚの注入を、チューブポンプ１４と、ブロアー７の運転に連動させて、チューブポンプ１４を所定の時間間隔で所定時間駆動せしめる制御部１５とによって行う。【選択図】      図１
2005074043.tif 000002
【特許請求の範囲】
【請求項１】
床面や絨毯の汚れを洗浄することによって生じた洗浄汚水を、ブロアーの吸引作用が及ぶスキージにて吸引した後、汚水回収ホースを通して汚水回収タンクに回収すると共に、これ等スキージ又は回収ホース内に消泡剤を注入して汚水回収タンク内での泡の発生を防止するように構成した汚水吸水システムに於いて、
上記の汚水吸水システムを搭載した機体に設けられた消泡剤タンクと、
この消泡剤タンクから注入ホースを通して上記スキージ又は汚水回収ホースに消泡剤を注入するチューブポンプと、
上記ブロアーの運転に連動させて、上記チューブポンプを所定の時間間隔で所定時間駆動して、スキージ又は回収ホースに注入ホースを通して消泡剤を間欠的に注入する制御部とによって構成したことを特徴とする汚水吸水システムに於ける消泡剤供給装置。
【請求項２】
制御部に、上記チューブポンプの駆動時間間隔と駆動時間を変更する切替え機能を具備せしめたことを特徴とする請求項１に記載の汚水吸水システムに於ける消泡剤供給装置。
【請求項３】
制御部に、上記チューブポンプによる間欠的な消泡剤の供給に先立って、チューブポンプのモ−タに対する印加電圧を一定の時間上げて、消泡剤の供給量を一定の時間だけ多くするフィード機能を具備せしめたことを特徴とする請求項１又は２に記載の汚水吸水システムに於ける消泡剤供給装置。
【発明の詳細な説明】
【技術分野】
【０００１】
本発明は、洗浄した床面や絨毯等に残っている洗浄汚水を吸水することができる汚水吸水機や、床面を洗浄する床面洗浄機等に用いられる汚水吸水システムの技術分野に属するものであって、具体的には、各種の汚水吸水システムに用いて好適な消泡剤供給装置に関するものである。
【背景技術】
【０００２】
汚水吸水機や床面洗浄機に用いる汚水吸水システムでは、汚水回収タンクや汚水容器等に回収した汚水からの泡の発生を防ぐために、例えば特許文献１や特許文献２に見られるように、シリコーン系エマルジョンの如き消泡剤をタンク又は容器に供給して、泡を消すようにしている。
【０００３】
即ち、特許文献１に記載の「電気掃除機の吸水用吸口」には、掃除機の吸引口１に流下させた消泡剤を、吸引口１に設けられたベンチュリー部に生ずる掃除機の吸引力を利用して気水吸い込みパイプ内に吸引混入させて、汚水と共に汚水容器内に回収することによって、汚水容器内の泡の発生を防ぐ旨の構成が記載されている。
【０００４】
また、特許文献２に記載の「洗浄機用消泡剤自動供給装置」には、消泡剤タンクから汚水回収ホース内に吸引ホースを導設し、汚水回収時に於いて汚水回収ホース内に生じた負圧を利用して、消泡剤を消泡剤タンクから吸い上げて汚水に混入する構成が記載されている。
【０００５】
しかし、上記の特許文献１によると、消泡剤を消泡剤タンクの底部から消泡剤流下パイプを介して下方に流下する構成であるから、掃除機を運転している間は、消泡剤は吸引力が及ぼされる気水吸い込みパイプ内に吸引されるが、運転を止めると気水吸い込みパイプ内は吸引力が無くなり、流下する消泡剤は気水吸い込みパイプ内には吸引されずに、吸込口１からそのまま外部に流出してしまう問題がある。
【０００６】
また、上記の特許文献２によると、回収ホース８における負圧を利用して、消泡剤タンク１２から吸引ホース１０を介して回収ホース８内に吸引され、汚水と混ざりながら回収される構成であるから、洗浄機の吸引状態に変化生ずると回収ホース８における負圧に変化生じて、消泡剤の供給に変動が生じ、場合によっては消泡剤の供給ができないことがある。又、消泡剤タンクの位置や、消泡剤の量によっても、供給される量に差が生じてしまう問題がある。
【特許文献１】特開昭５２−２２３７１号公報
【特許文献２】特開平１１−２１６０９２号公報
【発明の開示】
【発明が解決しようとする課題】
【０００７】
そこで本発明の技術的課題は、汚水吸水機や床面洗浄機等の運転時においては安定した量の消泡剤を供給することができ、また、運転停止時には消泡剤の供給が確実に停止して、消泡剤が外部に流出しないように工夫した汚水吸水システムに於ける消泡剤供給装置を提供することである。
【課題を解決するための手段】
【０００８】
上記の技術的課題を解決するために本発明で講じた手段は以下の通りである。
【０００９】
（１）  請求項１に記載の如く、床面や絨毯の汚れを洗浄することによって生じた洗浄汚水を、ブロアーの吸引作用が及ぶスキージにて吸引した後、汚水回収ホースを通して汚水回収タンクに回収すると共に、これ等スキージ又は回収ホース内に消泡剤を注入して汚水回収タンク内での泡の発生を防止するように構成した汚水吸水システムに於いて、上記の汚水吸水システムを搭載した機体に設けられた消泡剤タンクと、この消泡剤タンクから注入ホースを通して上記スキージ又は汚水回収ホースに消泡剤を注入するチューブポンプと、上記ブロアーの運転に連動させて、上記チューブポンプを所定の時間間隔で所定時間駆動して、スキージ又は回収ホースに注入ホースを通して消泡剤を間欠的に注入する制御部とによって構成したことを特徴とする。
【００１０】
（２）  請求項２に記載の如く、制御部に、上記チューブポンプの駆動時間間隔と駆動時間を変更する切替え機能を具備せしめたことを特徴とする。
【００１１】
（３）  請求項３に記載の如く、制御部に、上記チューブポンプによる間欠的な消泡剤の供給に先立って、チューブポンプのモ−タに対する印加電圧を一定の時間上げて、消泡剤の供給量を一定の時間だけ多くするフィード機能を具備せしめたことを特徴とする。
【００１２】
消泡剤の供給は、理想的には連続供給が望ましいが、毎分数ｃｃの消泡剤を連続供給することは、現在流通しているポンプには殆ど存在しない。また、存在したとしても極めて高価格なものであって、コスト的に問題がある。
【００１３】
そこで、毎分の供給量が２０ｃｃ程度のチューブポンプを用いて、例えば、１０秒間隔で２．５秒の間欠通電を行うように制御すると、毎分５ｃｃの消泡剤の供給が可能になる。また、消泡効果に付いては、連続供給に比較して若干劣ることになるが、実際の使用には影響のないレベルであって、充分な消泡効果を期待することができる。
【００１４】
更に、始動当初のように回収ホース内や回収タンク内が空の場合は、チューブポンプへの印加電圧を上げて供給量を例えば４０ｃｃ／１分間に上げることにより、フィード時間を短縮して素早く消泡剤を充填できるフィード機能を具備させることにより、始動時に於ける泡の発生を防止している。
【発明の効果】
【００１５】
以上述べた次第で、本発明に係る汚水吸水システムに於ける消泡剤供給装置によれば、比較的価格の安いチューブポンプを用いて消泡剤を安定供給できるため、装置の低コスト化を可能にする。また、チューブポンプをブロアーの運転と連動させて駆動するため、ブロアーの運転停止後に消泡剤がスキージから流出する問題を解消すると共に、常に定められた量の消泡剤を安定供給して、優れた消泡効果を発揮することができる。
【発明を実施するための最良の形態】
【００１６】
以下に、上述した本発明に係る汚水吸水システムに於ける消泡剤供給装置の実施の形態を図面と共に説明すると、図１は本発明の一例を示した汚水吸水機の側面図、図２はその正面図であって、図中、符号１で全体的に示したのは汚水吸水機の機体、２は機体１の上側部に設けた汚水回収タンク、３はタンクの上蓋、４と５は機体１の下側部に設けた走行用の車輪である。
【００１７】
６は機体１の後部に設けた操作ハンドル、７は上記汚水回収タンク２の内部に設けた汚水吸引用のブロアー、７Ｍはそのブロアー用モータ、７Ｔはブロアー７の吸引作用を汚水回収タンク２の内部に作用する吸気パイプ、８は汚水回収ホースで、その根端部は機体１の上部前面に設けた嵌込穴１Ａを通して上記汚水回収タンク３の上側部に接続され、上記ブロアー７の吸引作用をこの汚水回収ホース８の下端部に取付けた汚水吸引用のスキージ９に及ぼす仕組に成っている。また、Ｆはこのスキージ９が接する床面を示す。
【００１８】
９Ｈはスキージ９の上面に突設した上記汚水回収ホース８の接続口、１０はスキージ９の昇降用レバー、１１は汚水回収タンク２に接続した汚水排水ホースで、１１Ａはその排水口、１２は機体１に設けたタンク収容台１３内に設置した消泡剤タンクであって、このタンク１２には例えばシリコーン系エマルジョンの如き消泡剤Ｚ（図４参照）が収容されている。
【００１９】
また、１４は機体１内に設けた公知のチューブポンプ、１４Ａはチューブポンプ１４の吸入口１４Ｃａ（図３参照）と上記消泡剤タンク１２の間を連通接続する消泡剤注入ホース、１４Ｂはチューブポンプ１４の吐出口１４Ｃｂ（図３参照）と上記スキージ９の接続口９Ｈ、又は、汚水回収ホース８の間を連通接続する消泡剤供給ホース、１５はチューブポンプ１４を含む電気系統の制御部、１６は電源部を構成するバッテリー、１７はメインスイッチを示す。また、図２において１Ｂは機体１の前面下側部に開口した各ホース１４Ａ，１４Ｂの挿通穴である。
【００２０】
図３は、上記チューブポンプ１４の構成と、その作動の状態を説明した構成図であって、図中、１４Ｅはポンプ用モータ１４Ｍ（図４参照）によって図面上時計回転方向に回転する回転軸、１４Ｘは回転軸１４Ｅに取付けたロータ、１４Ｘａと１４Ｘｂはロータ１４Ｘに取付けたローラ、１４Ｓはロータ１４を回転自在な状態に収めたポンプケース、１４′はロータ１４Ｘとポンプケース１４Ｓの間に円形状に形成された嵌込溝、１４Ｃはこの嵌込溝１４Ｃに嵌込まれたチューブで、チューブ１４Ｃの吸入口１４Ｃａに上述した消泡剤注入ホース１４Ａが接続され、チューブ１４Ｃの吐出口１４Ｃｂには、上述した消泡剤供給ホース１４Ｂが接続されている。
【００２１】
図３の（イ）、（ロ）、（ハ）、（ニ）は、ロータ１４の回転による消泡剤の吐出と吸入の状態を順番に説明したものであって、ロータ１４が時計回転方向に回転すると、ローラ１４Ｘａ，１４Ｘｂがチューブ１４Ｃに沿って時計回転方向に回転移動する。ロータ１４Ｘが回転するとチューブ１４Ｃはローラ１４Ｘａ，１４Ｘｂによって完全に圧縮されるため、チューブ１４Ｃ内の消泡剤Ｚは強制的に吐出口１４Ｃｂ側に吐出され、また、圧縮されたチューブ１４Ｃの復元力によって発生する真空作用により、吸入口１４Ｃａから消泡剤Ｚを吸入する。
【００２２】
上記ロータ１４Ｘの回転の繰り返しによって、消泡剤タンク１２内の消泡剤Ｚを間欠的にスキージ９のホース接続口９Ｈ、又は、汚水回収ホース８側に供給して、汚水回収タンク２内の洗浄汚水ＢＷ（図４参照）に消泡剤Ｚを供給し、泡の発生を防止することができる。
【００２３】
図４は、本発明の電気的構成を説明したブロック図で、上記チューブポンプ１４のモータ１４Ｍを制御駆動する制御部１５には、切換スイッチ１５Ｓに対して大、小、止の３つのポジションの接点１５Ａ，１５Ｂ，１５Ｃが設けられていて、切換スイッチ１５Ｓの切換操作に従ってチューブポンプ１４が制御作動される仕組に成っている。尚、図４に於いて上記図１乃至図３に示したものと同じ部材に付いては、同一の符号を付してその説明を省略することにする。
【００２４】
即ち、切換スイッチ１５Ｓを「大」の接点１５Ａに接続すると、図５に示した制御プログラムに従ってモータ１４Ｍが６秒の停止間隔で４秒間ずつ作動して、１０ｃｃ／１分間の割合でチューブポンプ１４が消泡剤Ｚを間欠供給する。また、切換スイッチ１５Ｓを「小」の接点１５Ｂに接続した場合には、同じく図５のプログラムに従って８秒の停止間隔で２秒間ずつモータ１４Ｍが作動して、５ｃｃ／１分間の割合でチューブポンプ１４が消泡剤Ｚを間欠供給する。
【００２５】
メインスイッチ１７をＯＦＦにすると、ブロアー７とチューブポンプ１４の各モータ７Ｍ，１４Ｍが一緒に停止して、汚水ＢＷの吸引と消泡剤Ｚの供給を同時に停止するが、切換スイッチ１５Ｓを「止」の接点１５Ｃに接続した場合は、チューブポンプ１４のモータ１４Ｍだけが止まって、消泡剤Ｚの供給を停止する。一方、切換スイッチ１５Ｓを「止」の接点１５Ｃから「大」又は「小」の接点１５Ａ，１５Ｂに切換接続した場合には、消泡剤Ｚの供給を素早く行うように、図５に示したプログラムの如く、印加電圧を上げてチューブポンプ１４のモータ１４Ｍを約２０秒間連続回転するフィードモードが実行されて、チューブポンプ１４が４０ｃｃ／１分間の割合で消泡剤Ｚを大量供給してフィード時間を短縮した後、通常の「大」又は「小」の間欠供給に戻る仕組に成っている。尚、図中１８は前記バッテリー１６を含む本装置の電源部を示す。
【００２６】
従って本発明によれば、比較的低価格のチューブポンプ１４を用いて、毎分５ｃｃ〜１０ｃｃの量の消泡剤Ｚを汚水回収タンク２内の洗浄汚水ＢＷに安定供給して、泡の発生を確実に防止することができる。
【図面の簡単な説明】
【００２７】
【図１】本発明に係る消泡剤供給装置が実施された汚水吸水機の側面図。
【図２】同じく汚水吸水機の正面図。
【図３】チューブポンプの構成とその作動状態を説明した説明図。
【図４】本発明に於ける電気的構成を説明したブロック図。
【図５】本発明で用いる制御用プログラムの概念図。
【符号の説明】
【００２８】
１          汚水吸水機の機体
２          汚水回収タンク
ＢＷ        汚水
７          ブロアー
８          汚水回収ホース
９          スキージ
１２        消泡剤タンク
Ｚ          消泡剤
１４        チューブポンプ
１４Ａ      消泡剤注入ホース
１４Ｂ      消泡剤供給ホース
１５        制御部
【図１】
2005074043.tif 000003
【図２】
2005074043.tif 000004
【図３】
2005074043.tif 000005
【図４】
2005074043.tif 000006
【図５】
2005074043.tif 000007